(57)【特許請求の範囲】
【請求項１】
前後輪で自立して走行する車台枠と、前記車台枠の後方に設けた操作ハンドルと、前記車台枠の略中央に設けた背負式動力散布機を着脱可能に搭載するための搭載部とを備え、前記搭載部に前記背負式動力散布機を搭載した状態で前記背負式動力散布機の薬剤タンクの薬剤を散布することができる動力散布機搭載走行台車であって、前記背負式動力散布機の薬剤タンクが略直方体であり、前記背負式動力散布機の搭載時に、前記薬剤タンクを形成する直方体の最も長い辺が前記走行台車の進行方向と平行であり、かつ前記薬剤タンクが上方から見て前記車台枠内に収まっていること、及び前記背負式動力散布機の搭載時にその後方に、補給用薬剤のスタンドが車台枠に設けられ、前記スタンドが、一端を支点として回動可能に車台枠に取り付けられた回動ハンドルと連結され、前記回動ハンドルを回動することによって前記薬剤タンクの上部と略等しい高さの位置とそれより下方の位置の間で移動が可能であり、前記スタンドがそれらの位置で静止可能であることを特徴とする動力散布機搭載走行台車。
【請求項２】
前記背負式動力散布機の搭載時に、前記薬剤タンクからの薬剤噴出ホースの取り出し口が走行台車の前方側にあることを特徴とする請求項１に記載の動力散布機搭載走行台車。
【請求項３】
前記薬剤噴出ホースの噴出口がその先端とそれに続く下方面にあり、地面に対する下方面の噴出口の噴出方向の角度が維持された状態で進行方向の左右間で旋回可能であることを特徴とする請求項２に記載の動力散布機搭載走行台車。
【発明の詳細な説明】
【技術分野】
【０００１】
本発明は、背負式動力散布機を着脱可能に搭載して薬剤（肥料や農薬など）を散布しながら走行することができる、走行安定性と散布作業性を向上させた動力散布機搭載走行台車に関する。
【背景技術】
【０００２】
背負式動力散布機は、作業者（特に高齢者が多い）がこれを背負って歩行しながら薬剤を散布しようとするものである。最近の薬剤の大容量化の市場の要求により背負式動力散布機は大型化し、３０ｋｇ程度の重量を持つものが出現している。このような大型化した背負式動力散布機は、薬剤の散布量の点で極めて優れるが、重量から来る作業者の負担が極めて大きい問題があった。
【０００３】
かかる問題を克服するために、背負式動力散布機としての本来の散布機能をそのままにして、この背負式動力散布機の散布能力を走行する台車上でも発揮できるようにしたものが提案されている（特許文献１参照）。かかる走行台車は、体力の衰えた高齢者でも散布作業を行なうのに役立つが、背負式動力散布機をそのまま載せただけであるので、一人で作業するには走行安定性や散布作業性が極めて悪いという問題があった。また、近年の薬剤タンクのさらなる増量の要求に答えられない問題があった。
【先行技術文献】
【特許文献】
【０００４】
【特許文献１】特開２００６−１０１８１４号公報
【発明の概要】
【発明が解決しようとする課題】
【０００５】
本発明は、上記の従来技術の問題に鑑み創案されたものであり、その目的は、背負式動力散布機を着脱可能に搭載して薬剤を散布することができる動力散布機搭載走行台車において、走行安定性や散布の作業性及び能力を向上させることにある。
【課題を解決するための手段】
【０００６】
本発明者は、上記目的を達成するために鋭意検討した結果、背負式動力散布機の薬剤タンクを形成する直方体の長手方向の辺を進行方向と平行にして車台枠内に収めることにより、高い走行安定性が得られること、そして補給用薬剤のスタンドを設け、これを薬剤タンクの補給位置付近まで移動できるようにすることにより散布できる薬剤の量を容易に増加できることなどを見出し、本発明の完成に至った。
【０００７】
即ち、本発明は、以下の（１）〜（３）の構成を有するものである。
（１）前後輪で自立して走行する車台枠と、前記車台枠の後方に設けた操作ハンドルと、前記車台枠の略中央に設けた背負式動力散布機を着脱可能に搭載するための搭載部とを備え、前記搭載部に前記背負式動力散布機を搭載した状態で前記背負式動力散布機の薬剤タンクの薬剤を散布することができる動力散布機搭載走行台車であって、前記背負式動力散布機の薬剤タンクが略直方体であり、前記背負式動力散布機の搭載時に、前記薬剤タンクを形成する直方体の最も長い辺が前記走行台車の進行方向と平行であり、かつ前記薬剤タンクが上方から見て前記車台枠内に収まっていること、及び前記背負式動力散布機の搭載時にその後方に、補給用薬剤のスタンドが車台枠に設けられ、前記スタンドが、一端を支点として回動可能に車台枠に取り付けられた回動ハンドルと連結され、前記回動ハンドルを回動することによって前記薬剤タンクの上部と略等しい高さの位置とそれより下方の位置の間で移動が可能であり、前記スタンドがそれらの位置で静止可能であることを特徴とする動力散布機搭載走行台車。
（２）前記背負式動力散布機の搭載時に、前記薬剤タンクからの薬剤噴出ホースの取り出し口が走行台車の前方側にあることを特徴とする（１）に記載の動力散布機搭載走行台車。
（３）前記薬剤噴出ホースの噴出口がその先端とそれに続く下方面にあり、地面に対する下方面の噴出口の噴出方向の角度が維持された状態で進行方向の左右間で旋回可能であることを特徴とする（２）に記載の動力散布機搭載走行台車。
【発明の効果】
【０００８】
本発明の動力散布機搭載走行台車は、薬剤タンクを形成する直方体の長手方向の辺を進行方向と平行にして薬剤タンクを車台枠内に収め、薬剤タンクからの薬剤噴出ホースの取り出し口を走行台車の前方側に設けているので、全体に進行方向に比べて横方向にコンパクトであり、走行安定性が極めて高い。
【０００９】
また、本発明の動力散布機搭載走行台車は、補給用薬剤のスタンドを設け、それを薬剤タンクの近くに移動可能にしているので、薬剤タンクへの薬剤の補給が容易であり、散布可能な薬剤の量を従来より大幅に増加することができる。
【００１０】
さらに、本発明の動力散布機搭載走行台車は、薬剤噴出ホースの噴出口の噴出方向の角度が一定に維持された状態で進行方向の左右間で旋回可能であるので、走行台車が進行方向を変えて薬剤の噴出方向を左右間で変更した場合に噴出方向の角度を変更する必要がない。
【図面の簡単な説明】
【００１１】
【図１】図１は、本発明の動力散布機搭載走行台車の一例の側面図を示す。
【図２】図２は、本発明の動力散布機搭載走行台車の一例の平面図を示す。
【図３】図３は、従来の動力散布機搭載走行台車の一例の平面図を示す。
【図４】図４（ａ）は、従来の薬剤噴出ホースの噴出口の回転態様を示し、図４（ｂ）は、本発明の薬剤噴出ホースの噴出口の旋回態様を示す。
【発明を実施するための形態】
【００１２】
本発明の動力散布機搭載走行台車を図面に基づいて以下説明するが、本発明はこれらに限定されるものではない。
【００１３】
本発明の動力散布機搭載走行台車は、前後輪で自立して走行する車台枠と、操作ハンドルと、背負式動力散布機を着脱可能に搭載するための搭載部とを備え、搭載時に背負式動力散布機のタンクの薬剤の散布が可能になるようにした点で従来公知の動力散布機搭載走行台車と共通する。本発明の動力散布機搭載走行台車の新規な特徴は、背負式動力散布機の薬剤タンクの搭載方法、薬剤タンクからの薬剤噴出ホースの取り出し口の向き、薬剤噴出ホースの噴出口の方向転換方法、薬剤タンクへの薬剤の補給方法などにある。
【００１４】
図１は、本発明の動力散布機搭載走行台車の一例の側面図、図２は、図１の動力散布機搭載走行台車の平面図、図３は、従来の動力散布機搭載走行台車の一例の平面図である。図中、１は前輪、２は後輪、３は車台枠、４は操作ハンドル、５は背負式動力散布機、６は薬剤タンク、７は薬剤タンク蓋、８は搭載部、９は薬剤噴出ホース、１０は進行方向、１１は薬剤タンクからの薬剤噴出ホースの取り出し口、１２は薬剤噴出ホースの噴出口、１３はスタンド、１４は回動ハンドルである。
【００１５】
図１及び図２から明らかなように、本発明の動力散布機搭載走行台車は、車台枠３に対して、自立走行するための後輪２及び二つの前輪１、走行時に走行台車を持つための操作ハンドル４、背負式動力散布機５を搭載するための搭載部８が設けられている。背負式動力散布機５は、従来公知のものが使用され、例えば薬剤タンク６とファンとエンジンとが背負枠にセットされ、背負いバンドにより人が背負って薬剤を散布することが可能なものである。背負式動力散布機５の搭載部８への固定方法は、特に限定されないが、例えば搭載部８に背負枠の部分を押さえ金具やボルトで固定することによって行なわれる。背負式動力散布機５を背負って薬剤を散布したい場合は、この固定を解除すればよい。
【００１６】
本発明の動力散布機搭載走行台車の第一の特徴は、背負式動力散布機の搭載時に、背負式動力散布機の薬剤タンクが車台枠内で進行方向に長く、それとは直交する横方向に短く収まっていることにある。具体的には、図１、図２に示すように、背負式動力散布機５の薬剤タンク６は略直方体であり、背負式動力散布機５の搭載時に、薬剤タンク６を形成する直方体の最も長い辺が走行台車の進行方向１０と平行であり（即ち、図２の薬剤タンク６の上下の辺が１０の矢印に平行であり）、かつ薬剤タンク６が上方から見て（即ち、図２の平面図で見て）車台枠３内に収まっていることにある。このような特徴を有することにより、薬剤タンク６の振れる方向を進行方向の左右より前後に優位にすることができ、走行安定性を格段に高めることができる。なお、図３に示すように、薬剤タンク６を形成する直方体の最も長い辺を進行方向１０に対して横方向にしたり、車台枠３からはみ出すようにすると、進行方向の前後より左右に振れやすくなり、走行が不安定になる。
【００１７】
本発明の動力散布機搭載走行台車の第二の特徴は、薬剤タンクからの薬剤噴出ホースの取り出し口を走行台車の前方側に設けたことにある。具体的には、図１、図２に示すように、背負式動力散布機５の薬剤タンク６からの薬剤噴出ホース９の取り出し口１１を走行台車の前方側に設けたことにある。このような特徴を有することにより、薬剤噴出ホース９を背負式動力散布機５の前方側の車台枠３内にほぼ集めることができ、前述の第一の特徴とともに走行安定性を向上させることができる。また、薬剤噴出ホース９のエルボ部の数を減少することができ、薬剤の噴出力の低下を抑制することができる。なお、図３に示すように、薬剤噴出ホース９の取り出し口１１を進行方向１０に対して横側に設けると、薬剤噴出ホース９の横方向のはみ出しが大きくなり、横揺れによる走行不安定やエルボ部の増加による薬剤噴出力の低下が起こる。
【００１８】
本発明の動力散布機搭載走行台車の第三の特徴は、薬剤噴出ホースの噴出口の噴出方向を一定方向に維持したままで進行方向に対して左右に旋回して移動させることができることにある。具体的には、図１及び図４（ｂ）に示すように、薬剤噴出ホース９の噴出口１２はその先端とそれに続く下方面にあるが、この場合に地面に対する下方面の噴出口の噴出方向の角度が維持された状態で進行方向の前方又は後方を通って左右間で旋回可能にしたことにある。このような特徴を有することにより、走行台車の進行方向の変更に伴ない散布方向を変える必要がある場合でも薬剤噴出ホース９の先端を旋回させるだけで地面に対する噴出口１２の角度を維持したまま噴出方向を変えることができる。なお、図４（ａ）に示すように、薬剤噴出ホース９の先端を回転させる場合は、地面に対する噴出口１２の角度が変更されて噴出方向を変えることになる。
【００１９】
本発明の動力散布機搭載走行台車の第四の特徴は、背負式動力散布機に薬剤タンクとは別に補給用薬剤のスタンドを設け、スタンドを回動ハンドルで薬剤タンクの高さ付近の位置とその下方位置の間で移動・静止できるようにして補給用薬剤を薬剤タンクに容易に補給できるようにしたことにある。具体的には、図１に示すように、背負式動力散布機５の搭載時にその後方に、補給用薬剤（図示せず）を置くことが可能なスタンド１３を車台枠３に設け、スタンド１３を、一端を支点として回動可能に車台枠３の一部に取り付けられた回動ハンドル１４に連結し、回動ハンドル１４を図１の矢印に示すように回動することによって薬剤タンク６の上部と略等しい高さの位置とそれより下方の位置の間で移動及び静止可能にしたことにある。このような特徴を有することにより、回動ハンドル１４で補給用薬剤を固定したスタンド１３を薬剤タンク６の付近まで移動して静止させて補給用薬剤を薬剤タンク６に容易に補給することができ、薬剤の補給の必要がない場合は、スタンド１３を下方位置に移動して静止させておくことができる。
【産業上の利用可能性】
【００２０】
本発明の動力散布機搭載走行台車は、走行安定性や散布の作業性及び能力が極めて優れるので、極めて有用である。
【符号の説明】
【００２１】
１    前輪
２    後輪
３    車台枠
４    操作ハンドル
５    背負式動力散布機
６    薬剤タンク
７    薬剤タンク蓋
８    搭載部
９    薬剤噴出ホース
１０    進行方向
１１    薬剤噴出ホースの取り出し口
１２    薬剤噴出ホースの噴出口
１３    スタンド
１４    回動ハンドル
【要約】
【課題】背負式動力散布機を着脱可能に搭載して薬剤を散布することができる動力散布機搭載走行台車において、走行安定性や散布の作業性及び能力を向上させる。
【解決手段】前後輪で自立して走行する車台枠と、前記車台枠の後方に設けた操作ハンドルと、前記車台枠の略中央に設けた背負式動力散布機を着脱可能に搭載するための搭載部とを備え、前記搭載部に前記背負式動力散布機を搭載した状態で前記背負式動力散布機の薬剤タンクの薬剤を散布することができる動力散布機搭載走行台車であって、前記背負式動力散布機の薬剤タンクが略直方体であり、前記背負式動力散布機の搭載時に、前記薬剤タンクを形成する直方体の最も長い辺が前記走行台車の進行方向と平行であり、かつ前記薬剤タンクが上方から見て前記車台枠内に収まっていることを特徴とする。
【選択図】図１【図１】
0005687796.tif 000002
【図２】
0005687796.tif 000003
【図３】
0005687796.tif 000004
【図４】
0005687796.tif 000005